(57)【要約】【課題】本発明は、新規な構造を採用することで、外部衝撃に強いバッテリパックを提供することを課題とする。【解決手段】本発明は、バッテリパックに関し、ベアセルと、前記ベアセルの上部に位置するホルダケースと、前記ホルダケースをカバーするトップケースとを含むが、前記ホルダケースの一端または他端には突出部が形成され、前記トップケースには前記突出部に対応する位置に収容部が形成されることを特徴とし、突出部が収容部に挿入されることから、トップケースの短辺部の内側が満たされることによって、外部衝撃により強いバッテリパックを提供する。【選択図】図２
2014093297.tif 000002
【特許請求の範囲】
【請求項１】
第１面を備えたベアセルと、
前記第１面に隣接して位置するホルダケースと、
前記ホルダケースを収容する開口部を備えるが、前記開口部は、２つの長辺部および２つの短辺部からなるトップケースとを含み、
前記トップケースは、前記短辺部の少なくとも１つに隣接して形成された少なくとも１つの収容部を備え、
前記ホルダケースには少なくとも１つの突出部が形成され、前記少なくとも１つの収容部内に延びることを特徴とするバッテリパック。
【請求項２】
前記トップケースの少なくとも１つの短辺部は、前記トップケースの開口部に隣接して位置し、前記長辺部に隣接する２つのフランジを備え、
前記収容部は、前記２つのフランジの間に配置され、前記フランジの上部に延びて前記少なくとも１つの突出部を収容する空間を備えることを特徴とする請求項１に記載のバッテリパック。
【請求項３】
前記突出部は、複数個で備えられたことを特徴とする請求項１に記載のバッテリパック。
【請求項４】
前記少なくとも１つの収容部は、前記トップケースの第１および第２短辺部に隣接して位置する第１および第２収容部を含むことを特徴とする請求項１に記載のバッテリパック。
【請求項５】
前記少なくとも１つの収容部は、前記収容部を補強するために、前記少なくとも１つの突出部と相互接触しない状態で前記突出部を収容することを特徴とする請求項１に記載のバッテリパック。
【請求項６】
前記少なくとも１つの収容部の深さは、前記少なくとも１つの突出部の長さより大きく形成され、前記突出部が前記収容部の表面から離隔した状態で前記収容部内に延びていることを特徴とする請求項５に記載のバッテリパック。
【請求項７】
前記ホルダケース内に備えられた保護回路モジュールをさらに含むことを特徴とする請求項１に記載のバッテリパック。
【請求項８】
前記保護回路モジュールは、前記保護回路モジュールを前記ベアセルに連結するリードプレートを含むことを特徴とする請求項７に記載のバッテリパック。
【請求項９】
前記リードプレートは、第１リードプレートおよび第２リードプレートをさらに含むが、前記第１リードプレートに対応する位置の、前記ホルダケースに形成される第１貫通ホールを介して、前記第１リードプレートは前記ベアセルの電極端子に連結され、前記第２リードプレートに対応する位置の、前記ホルダケースに形成される第２貫通ホールを介して、前記第２リードプレートは前記ベアセルの第１面に連結されることを特徴とする請求項８に記載のバッテリパック。
【請求項１０】
前記少なくとも１つのホルダケースは、前記ベアセルの第１面に接着部材を介して連結されることを特徴とする請求項７に記載のバッテリパック。
【請求項１１】
前記トップケースは、前記ホルダケースに連結され、前記保護回路モジュールを収容する開口部を形成することを特徴とする請求項７に記載のバッテリパック。
【請求項１２】
前記ホルダケースの側面には第１締結部が形成され、前記上部ケースの側面には前記第１締結部に対応して結合される第２締結部が形成され、前記第１締結部および第２締結部は互いに結合され、前記ホルダケースおよびトップケースを共に固定されるようにすることを特徴とする請求項１に記載のバッテリパック。
【請求項１３】
前記ホルダケースは、前記トップケースを支持するために、前記少なくとも１つの突出部に隣接する支持部をさらに含むことを特徴とする請求項１に記載のバッテリパック。
【請求項１４】
前記支持部の一側には段差部が形成され、前記保護回路モジュールの一側は前記段差部に載置されることを特徴とする請求項１３に記載のバッテリパック。
【請求項１５】
前記ホルダケースは、前記ホルダケースの側面から前記保護回路モジュールの方向に延びて形成されるガイド部をさらに含み、前記保護回路モジュールは、前記保護回路モジュールの側面に形成される切欠部をさらに含むが、前記ガイド部は、前記切欠部に結合されることを特徴とする請求項７に記載のバッテリパック。
【請求項１６】
前記少なくとも１つの突出部の断面は、ラウンド形状であることを特徴とする請求項１に記載のバッテリパック。
【請求項１７】
前記少なくとも１つの突出部の断面は、四角形形状であることを特徴とする請求項１に記載のバッテリパック。
【請求項１８】
前記ベアセルの一側面には固定突起が形成され、前記ホルダケース上には固定ホールが形成され、前記固定突起を収容することを特徴とする請求項１に記載のバッテリパック。
【発明の詳細な説明】
【技術分野】
【０００１】
本発明は、バッテリパックに関するものである。
【背景技術】
【０００２】
最近、携帯用電子機器の電源としてバッテリパックが多様に用いられている。また、携帯用電子機器が多様な分野で用いられるにつれ、バッテリパックに対する需要が急増している。このようなバッテリパックは、充放電して複数回使用が可能であり、これによって、経済的および環境的にも効果的であるため、その使用が奨励されている。
バッテリパックは、スマートフォンの使用量の増加に伴い、容量を増加させる方向に開発されている。このようなバッテリパックの容量の増加はバッテリパックの重量の増加につながり、バッテリパック落下実験でケースの破れ、陥没などの問題を引き起こす。
【先行技術文献】
【特許文献】
【０００３】
【特許文献１】特開2004-281309号公報
【特許文献２】特開2011-171078号公報
【特許文献３】特開2007-227394号公報
【発明の概要】
【発明が解決しようとする課題】
【０００４】
本発明は、新規な構造を採用することで、外部衝撃に強いバッテリパックを提供する。
【課題を解決するための手段】
【０００５】
本発明の一実施形態にかかるバッテリパックは、第１面を備えたベアセルと、前記第１面に隣接して位置するホルダケースと、前記ホルダケースを収容する開口部を備えるが、前記開口部は、２つの長辺部および２つの短辺部からなるトップケースとを含み、前記トップケースは、前記短辺部の少なくとも１つに隣接して形成された少なくとも１つの収容部を備え、前記ホルダケースには少なくとも１つの突出部が形成され、前記少なくとも１つの収容部内に延びるバッテリパックを提供する。
【０００６】
本実施形態において、前記トップケースの少なくとも１つの短辺部は、前記トップケースの開口部に隣接して位置し、前記長辺部に隣接する２つのフランジを備え、前記収容部は、前記２つのフランジの間に配置され、前記フランジの上部に延びて前記少なくとも１つの突出部を収容する空間を備える。
【０００７】
本実施形態において、前記突出部は、複数個で具備できる。
【０００８】
本実施形態において、前記少なくとも１つの収容部は、前記トップケースの第１および第２短辺部に隣接して位置する第１および第２収容部を含む。
【０００９】
本実施形態において、前記少なくとも１つの収容部は、前記収容部を補強するために、前記少なくとも１つの突出部と相互接触しない状態で前記突出部を収容することができる。この時、前記少なくとも１つの収容部の深さは、前記少なくとも１つの突出部の長さより大きく形成され、前記突出部が前記収容部の表面から離隔した状態で前記収容部内に延びる。
【００１０】
本実施形態において、前記ホルダケース内に備えられた保護回路モジュールをさらに含む。
【００１１】
本実施形態において、前記保護回路モジュールは、前記保護回路モジュールを前記ベアセルに連結するリードプレートを含む。
【００１２】
また、本実施形態において、前記リードプレートは、第１リードプレートおよび第２リードプレートをさらに含むが、前記第１リードプレートに対応する位置の、前記ホルダケースに形成される第１貫通ホールを介して、前記第１リードプレートは前記ベアセルの電極端子に連結され、前記第２リードプレートに対応する位置の、前記ホルダケースに形成される第２貫通ホールを介して、前記第２リードプレートは前記ベアセルの第１面に連結される。
【００１３】
本実施形態において、前記少なくとも１つのホルダケースは、前記ベアセルの第１面に接着部材によって連結できる。
【００１４】
本実施形態において、前記トップケースは、前記ホルダケースに連結され、前記保護回路モジュールを収容する開口部を形成する。
【００１５】
本実施形態において、さらに、前記ホルダケースの側面には第１締結部が形成され、前記上部ケースの側面には前記第１締結部に対応して結合される第２締結部が形成され、前記第１締結部および第２締結部は互いに結合され、前記ホルダケースとトップケースを共に固定されるようにする。
【００１６】
本実施形態において、前記ホルダケースは、前記トップケースを支持するために、前記少なくとも１つの突出部に隣接する支持部をさらに含み、前記支持部の一側には段差部が形成され、前記保護回路モジュールの一側は前記段差部に載置される。
【００１７】
本実施形態において、前記ホルダケースは、前記ホルダケースの側面から前記保護回路モジュールの方向に延びて形成されるガイド部をさらに含み、前記保護回路モジュールは、前記保護回路モジュールの側面に形成される切欠部をさらに含むが、前記ガイド部は、前記切欠部に結合される。
【００１８】
本実施形態において、前記少なくとも１つの突出部の断面は、ラウンド形状または四角形形状であり得る。
【００１９】
本実施形態において、前記ベアセルの一側面には固定突起が形成され、前記ホルダケース上には固定ホールが形成され、前記固定突起を収容することができる。
【００２０】
本発明の特徴および利点は、添付図面に基づく、以下の詳細な説明からより明確になる。
【００２１】
これに先ち、本明細書および請求の範囲に使われた用語や単語は、通常かつ辞書的な意味で解釈されてはならず、発明者がその自分の発明を最も最善の方法で説明するために用語の概念を適切に定義することができるという原則に則り、本発明の技術的思想に符合する意味および概念で解釈されなければならない。
【発明の効果】
【００２２】
本発明によれば、トップケースの短辺部の内側が満たされることによって、外部衝撃により強いバッテリパックを提供することができる。
【図面の簡単な説明】
【００２３】
【図１】本発明の一実施形態にかかるバッテリパックの完成斜視図である。
【図２】図１に示されたバッテリパックを分解して示す分解斜視図である。
【図３】図２に示されたホルダケースと、保護回路モジュールと、トップケースとの結合関係を説明するために示す拡大斜視図である。
【図４Ａ】図１のＡ−Ａ線断面図である。
【図４Ｂ】図１の他の実施形態のＡ−Ａ線断面図である。
【図５】本発明の他の実施形態にかかるホルダケースを示す斜視図である。
【発明を実施するための形態】
【００２４】
その他実施形態の具体的な事項は詳細な説明および図面に含まれている。
【００２５】
本発明の利点および特徴、そしてそれらを達成する方法は、添付した図面と共に詳細に後述する実施形態を参照すれば明確になる。しかし、本発明は、以下に開示される実施形態に限定されるものではなく、互いに異なる多様な形態で実現可能であり、以下の説明において、ある部分が他の部分に連結されているとする時、これは、直接的に連結されている場合のみならず、その中間に別の素子を挟んで電気的に連結されている場合も含む。また、図面において、本発明と関係のない部分は本発明の説明を明確にするために省略し、明細書全体にわたって類似の部分については同一の図面符号を付した。
【００２６】
以下、添付した図面を参照して、本発明について説明する。
【００２７】
図１は、本発明の一実施形態にかかるバッテリパックの完成斜視図であり、図２は、図１に示されたバッテリパックを分解して示す分解斜視図である。
【００２８】
図１および図２を参照すれば、本発明の一実施形態にかかるバッテリパック１００は、ベアセル１１０と、ホルダケース１２０と、保護回路モジュール１３０と、トップケース１６０とを含んで構成できる。
【００２９】
ベアセル１１０の上部にはホルダケース１２０が配置され、ホルダケース１２０の上部には保護回路モジュール１３０が配置され、保護回路モジュール１３０の上部にはトップケース１６０が配置される。
【００３０】
ベアセル１１０は、正極、負極、および正極と負極との間に介在するセパレータを含んで構成された電極アセンブリ（図示せず）と、金属材質からなり、電極アセンブリおよび電解液（図示せず）を収容する容器型カン１１１と、カン１１１の開口部を密封するキャップアセンブリ１１２とを含んで構成できる。
【００３１】
ここで、キャップアセンブリ１１２は、金属材質で形成されるキャッププレート１１３と、キャッププレート１１３に突出した形態で結合される電極端子１１４と、キャッププレート１１３と電極端子１１４との間に介在して電極端子１１４をキャッププレート１１３から絶縁させるガスケット１１５とを含むことができる。
【００３２】
ベアセル１１０は、図２に示されるように、電極端子１１４が突出した上面１１０ａと、上面１１０ａに連結される一対の短側面１１０ｂ、１１０ｃと、一対の長側面１１０ｄ、１１０ｅと、側面１１０ｂ、１１０ｃ、１１０ｄ、１１０ｅに連結され、上面１１０ａと向き合う下面１１０ｆとからなるとよい。ここで、一対の短側面１１０ｂ、１１０ｃは、ベアセル１１０の上面１１０ａに連結される側面１１０ｂ、１１０ｃ、１１０ｄ、１１０ｅのうち幅が狭い側面であり、一対の長側面１１０ｄ、１１０ｅは、ベアセル１１０の側面１１０ｂ、１１０ｃ、１１０ｄ、１１０ｅのうち幅が広い側面である。
【００３３】
キャップアセンブリ１１２の一側には電解液注入口１１６が形成される。電解液注入口１１６は、電解液が注入される部分であり、キャップアセンブリ１１２がカン１１１の上端開口部に組み立てられた後、電解液が注入される。次に、前記電解液が注入された後、電解液注入口１１６は、アルミニウム含有金属で形成された別の密閉手段によって密閉される。追加的に、電解液注入口１１６は別の密閉手段であるシーリング部材を上端に塗布して、外部空気の流入を遮断することができる。このように、前記シーリング部材が塗布された電解液注入口１１６は、半球状に膨らんだ形状を有することができる。
【００３４】
また、キャップアセンブリ１１２の他側には安全ベント１１７が形成されている。安全ベント１１７は、前記キャッププレート１１３より薄く形成される。安全ベント１１７は、ベアセル１１０の内圧が安全ベント１１７の作動圧力以上になると開放され、ガスを放出する。
【００３５】
ホルダケース１２０は、ベアセル１１０の上面とホルダケース１２０との間に配置される接着部材１１９によってベアセル１１０の上面に付着することができる。
【００３６】
接着部材１１９は、電極端子１１４、ガスケット１１５および電解液注入口１１６が突出するように開口部１１９ａ、１１９ｂが形成されるとよい。ここで、接着部材１１９は、別の接着剤および両面テープのうちの少なくともいずれか１つを用いてベアセル１１０にホルダケース１２０を付着させることができる。
【００３７】
ホルダケース１２０の短辺部１２１にはトップケース１６０の方向に突出部１２２が形成され、トップケース１６０には突出部１２２に対応する位置に収容部１６３が形成される。突出部１２２と収容部１６３との結合構造については以後より詳細に説明する。
【００３８】
保護回路モジュール１３０は、ホルダケース１２０の上部に配置され、回路基板１３１と、外部端子部１３２と、ＰＴＣ（Ｐｏｓｉｔｉｖｅ  Ｔｅｍｐｅｒａｔｕｒｅ  Ｃｏｅｆｆｉｃｉｅｎｔ）１３３と、貫通ホール１３４とを含んで構成できる。
【００３９】
回路基板１３１は、樹脂からなるプレートで形成され、ベアセル１１０の充電および放電を制御する回路（図示せず）、または過放電および過充電を防止する回路のような保護回路（図示せず）を含む。
【００４０】
外部端子部１３２は、回路基板１３１の上面に設けられ、回路基板１３１と外部電子機器（図示せず）とを電気的に連結する役割を果たす。
【００４１】
ＰＴＣ１３３は、回路基板１３１の下面に介在してベアセル１１０内部の温度が上昇すると、抵抗が急激に増加して、電流の流れを遮断する役割を果たす。
【００４２】
貫通ホール１３４は、回路基板１３１の上面および下面を貫通して形成される。貫通ホール１３４は、電極端子１１４に対応するように位置する。また、貫通ホール１３４の幅寸法および長さ寸法のうちの少なくともいずれか１つは、電極端子１１４の幅および長さ寸法に比べて短く形成される。そのため、電極端子１１４が貫通ホール１３４を貫通しない。
【００４３】
回路基板１３１の下部に配置される第１リードプレート１４１は、ホルダケース１２０の第１貫通ホール１２７ａを介して電極端子１１４と電気的に連結される。第１リードプレート１４１は、電極端子１１４からの電流をＰＴＣ１３３に伝達する通路の役割を果たす。第１リードプレート１４１は、金属材質、例えば、ニッケルまたはニッケル合金からなるとよい。
【００４４】
第２リードプレート１４３は、回路基板１３１の一側に結合され、保護回路モジュール１３０の正極配線パターン（図示せず）と電気的に連結され、ホルダケース１２０の第２貫通ホール１２７ｂを貫通してベアセル１１０の上面１１０ａに連結されるように延びて、ベアセル１１０と保護回路モジュール１３０とを電気的に連結する。すなわち、第２リードプレート１４３は、ベアセル１１０の上面１１０ａ（すなわち、キャッププレート１１３からなり、正極としての役割を果たす）と電気的に連結され、正極として作用することができる。第２リードプレート１４３は、金属材質、例えば、ニッケルまたは合金からなるとよい。
【００４５】
トップケース１６０は、ベアセル１１０の上部に配置されたホルダケース１２０をカバーし、内部空間に保護回路モジュール１３０を収容する。このようなトップケース１６０は、ケースプレート１６１と、ケースプレート１６１から保護回路モジュール１３０の方向に延びた側壁１６４とを含んで構成できる。
【００４６】
トップケース１６０は、ベアセル１１０の上面と略類似する形状に形成できる。ケースプレート１６１の内面は、回路基板１３１の上面と向い合って接する。ケースプレート１６１は、外部端子部１３２に対応する領域に形成された端子ホール１６５を含む。このような端子ホール１６５は、外部端子部１３２を外部に露出させ、バッテリパック１００および外部電子機器（図示せず）と電気的に連結できるようにする。
【００４７】
図３は、図２に示されたホルダケースと、保護回路モジュールと、トップケースとの結合関係を説明するために示す拡大斜視図である。
【００４８】
図３を参照すれば、ホルダケース１２０は、ホルダケース１２０の側面から保護回路モジュール１３０の方向に延びて形成されるガイド部１２４ａ、１２４ｂを含み、保護回路モジュール１３０は、保護回路モジュール１３０の側面に形成される切欠部１３５ａ、１３５ｂをさらに含むことができる。ガイド部１２４ａ、１２４ｂは、切欠部１３５ａ、１３５ｂに結合して、保護回路モジュール１３０の位置をホルダケース１２０上にガイドする。ガイド部１２４ａ、１２４ｂは、ホルダケース１２０の側面１２３の両側に対で形成されてもよい。
【００４９】
ホルダケース１２０は、ホルダケース１２０の第２貫通ホール１２７ｂに隣接した部分から延びる支持部１２６を含むことができる。支持部１２６は、ホルダケース１２０がトップケース１６０にカバーされる時、トップケース１６０の下面に密着してトップケース１６０を支持することができる。
【００５０】
ホルダケース１２０の支持部１２６の一側には段差部１２４ｃが形成されるとよく、第２リードプレート１４３が結合された保護回路モジュール１３０の一側は段差部１２４ｃに載置され、ホルダケース１２０上にガイドされるとよい。
【００５１】
ホルダケース１２０の一側には固定ホール１２７ｃが形成され、固定ホール１２７ｃは、ベアセル１１０の上面１１０ａの一側に固定ホール１２７ｃに対応して形成される固定突起１１８と結合し、ホルダケース１２０をベアセル１１０上にガイドすることができる。
【００５２】
ホルダケース１２０の側面１２３にはトップケース１６０と結合するための第１締結部１２５ａ、１２５ｂ、１２５ｃが形成できる。第１締結部１２５ａ、１２５ｂ、１２５ｃは、第１締結部１２５ａ、１２５ｂ、１２５ｃの位置に対応してトップケース１６０の側面１６４に形成される第２締結部１６７ａ、１６７ｂ、１６７ｃに挿入固定されることによって、トップケース１６０とホルダケース１２０とを結合する役割を果たす。
【００５３】
本実施形態において、前記トップケース１６０の少なくとも１つの短辺部１６２は、前記トップケース１６０の開口部に隣接して位置し、長辺部に隣接する２つのフランジ形態からなる。そして、収容部１６３が前記短辺部１６２のフランジの間に配置され、前記収容部１６３は、前記フランジの上部に延びた形態を有する。そして、前記収容部１６３は、ホルダケースの突出部を収容する空間を備える。本実施形態において、前記収容部は、前記トップケースの短辺部１６２が、両側の短辺部１６２をそれぞれ第１および第２短辺部と称する場合、前記第１および第２短辺部に隣接して位置する収容部である第１および第２収容部を含むことができる。
【００５４】
すなわち、前記ケースプレート１６１の短辺部１６２には、ホルダケース１２０の方向に溝を形成する収容部１６３が形成される。一般的に、トップケース１６０は、内部に保護回路モジュール１３０を収容するための空間が形成され、トップケース１６０の短辺部１６２の内側も空き空間を形成する。したがって、バッテリパック１００が落下する時に発生する衝撃によって、トップケース１６０の短辺部１６２が陥没したり割れる問題がある。
【００５５】
このような問題を解決するために、短辺部１６２の内側に空き空間がないようにトップケース１６０を射出成形することもできるが、この場合、未成形が発生し得る問題がある。
【００５６】
したがって、本発明では、ホルダケース１２０の短辺部１２１にトップケース１６０の方向に突出部１２２を形成し、突出部１２２が収容部１６３に挿入されて収容部１６３内の空き空間を満たすことによって、外部衝撃によってトップケース１６０の短辺部１６２が陥没するのを防止することができる。
【００５７】
ホルダケース１２０の短辺部１２１は、面構造を有することで、突出部１２２を射出成形することが容易であり、突出部１２２は、トップケース１６０によって収容される内部構成であって、射出成形時に未成形が発生するとしても、外観上発生する問題はわずかである。本発明の一実施形態によれば、突出部１２２は、ホルダケース１２０の両短辺部１２１にそれぞれ形成されてもよい。
【００５８】
図４Ａ、Ｂは、図１のＡ−Ａ線断面図である。
【００５９】
図４Ａを参照すれば、ホルダケース１２０の短辺部１２１上には突出部１２２が形成され、突出部１２２は、トップケース１６０の収容部１６３に挿入され、収容部１６３の内側を満たす役割を果たす。支持部１２６は、トップケース１６０の下面に密着することができ、この場合、トップケース１６０を支持する役割を果たすことができる。
【００６０】
図４Ａに示されるように、突出部１２２は、ラウンド形状であり得、ラウンド形状によって、突出部１２２が収容部１６３により容易に挿入できる。
【００６１】
本実施形態において、収容部１６３は、収容部１６３をより強固にしたり強化するために、前記突出部１２２と互いに接触しない状態で前記突出部１２２を収容することができる。この時、前記収容部１６３の深さは、前記突出部１２２の長さより大きく形成され、前記突出部１２２が前記収容部１６３の表面から離隔した状態で前記収容部１６３内に延びている。
【００６２】
本発明の他の実施形態によれば、図４Ｂに示されるように、突出部２２２は、長方形形状であり得る。
【００６３】
突出部２２２が長方形形状の場合、突出部２２２が収容部１６３の内側の空き空間を効果的に満たすことができ、これによって、外部衝撃により強いバッテリパック１００を提供することができる。
【００６４】
図５は、本発明の他の実施形態にかかるホルダケースを示す斜視図である。
【００６５】
図５に示されるように、本実施形態にかかるホルダケース１２０の突出部３２２は、複数個であることを特徴とする。したがって、本実施形態にかかる突出部３２２がトップケース１６０の収容部１６３に挿入された場合、複数の形状によって外部衝撃が分散することができ、これによって、外部衝撃により強いバッテリパック１００を提供することができる。
【００６６】
以上、本発明では、具体的な構成要素などのような特定事項と限定された実施形態および図面によって説明されたが、これは本発明のより全般的な理解のために提供されたに過ぎず、本発明は、上記の実施形態に限定されるものではなく、本発明の属する分野における通常の知識を有する者であれば、このような記載から多様な修正および変形が可能である。したがって、本発明の思想は、説明された実施形態に限って定められてはならず、後述する特許請求の範囲だけでなく、この特許請求の範囲と均等または等価的変形があるすべてのものは本発明の思想の範疇に属する。
【符号の説明】
【００６７】
１００：バッテリパック
１１０：ベアセル
１１９：接着部材
１２０：ホルダケース
１２１：短辺部
１２２：突出部
１２４ａ、１２４ｂ：ガイド部
１２４ｃ：段差部
１２５ａ、１２５ｂ、１２５ｃ：第１締結部
１２６：支持部
１２７ａ、１２７ｂ、１２７ｃ：貫通ホール
１３０：保護回路モジュール
１４１：第１リードプレート
１４３：第２リードプレート
１６０：トップケース
１６２：短辺部
１６３：収容部
１６７ａ、１６７ｂ、１６７ｃ：第２締結部
【図１】
2014093297.tif 000003
【図２】
2014093297.tif 000004
【図３】
2014093297.tif 000005
【図４Ａ】
2014093297.tif 000006
【図４Ｂ】
2014093297.tif 000007
【図５】
2014093297.tif 000008